(57)【特許請求の範囲】
【請求項１】
デジタルオーディオ入力端子、デジタルオーディオ出力端子、アナログオーディオ入力端子、アナログオーディオ出力端子のうち、少なくとも３つを共用する入出力端子と、
アナログオーディオ出力端子と、
前記入出力端子における端子機能を切り替える切替手段と、
デジタルオーディオ信号をアナログオーディオ信号に変換する変換手段と、
アナログオーディオ信号を増幅して前記アナログオーディオ出力端子に出力する増幅手段と、
前記切替手段での切替に応じ、前記入出力端子が前記デジタルオーディオ入力端子として機能する場合に前記入出力端子から入力されたデジタルオーディオ信号を前記変換手段に供給し、前記入出力端子が前記アナログオーディオ入力端子として機能する場合に前記入出力端子から入力されたアナログオーディオ信号を前記増幅手段に供給し、前記入出力端子が前記デジタルオーディオ出力端子として機能する場合にデジタルオーディオ信号を前記入出力端子に供給し、前記入出力端子が前記アナログオーディオ出力端子として機能する場合に前記変換手段を介してアナログオーディオ信号を前記入出力端子に供給する制御手段と、
を備えることを特徴とするオーディオ装置。
【請求項２】
請求項１記載のオーディオ装置において、
デジタルオーディオ信号を記憶する記憶手段と、
を備え、
前記制御手段は、前記記憶手段に記憶された前記デジタルオーディオ信号を前記変換手段に供給する場合に、前記入出力端子を前記デジタルオーディオ出力端子に自動的に切り替える
ことを特徴とするオーディオ装置。
【請求項３】
請求項１、２のいずれかに記載のオーディオ装置において、
前記入出力端子がデジタルオーディオ入力端子として機能する場合は、前記入出力端子はデジタルオーディオ光入力端子とデジタルオーディオ同軸入力端子の少なくともいずれかとして機能し、前記入出力端子がデジタルオーディオ出力端子として機能する場合は、前記入出力端子はデジタルオーディオ光出力端子とデジタルオーディオ同軸出力端子の少なくともいずれかとして機能する  
ことを特徴とするオーディオ装置。
【発明の詳細な説明】
【技術分野】
【０００１】
本発明は、オーディオ装置に関し、特にその入出力端子に関する。
【背景技術】
【０００２】
従来から、各種オーディオ装置には入力端子及び出力端子が設けられているが、端子毎に実装面積が必要となるため、携帯機器で小型化が求められる場合にはその障害となり得る。
【０００３】
特許文献１には、映像入出力端子における入力端子と出力端子の直流インピーダンスの差異を検知することにより、映像入出力端子に接続された端子が入力端子か出力端子かを判別し、映像入出力端子における入出力を自動的に切り替えることが記載されている。
【０００４】
特許文献２には、デジタル映像信号の入力端子とアナログ映像信号の出力端子、あるいはデジタル映像信号の出力端子とアナログ映像信号の出力端子を共通化することにより、静止画撮像装置の端子を集約することが記載されている。
【０００５】
特許文献３には、外部映像入力端子と外部映像出力端子、外部音声入力端子と外部音声出力端子をそれぞれ共用端子として共用し、使用者の必要に応じて手動又は自動で入出力を切り替えることが記載されている。
【先行技術文献】
【特許文献】
【０００６】
【特許文献１】実開昭６４−００３３７４号公報
【特許文献２】特開平１１−２３９２８９号公報
【特許文献３】特開２００１−０８６４１６号公報
【発明の概要】
【発明が解決しようとする課題】
【０００７】
しかしながら、上記従来技術は、入力端子と出力端子、あるいはアナログ端子とデジタル端子の２つの端子を共用化するに止まっており、より多くの端子を共用化するに至っていない。
【０００８】
特に、近年では、スマートフォン等に記憶された音楽データを再生してヘッドホンで聴く際により高音質で聴きたいユーザに応えるべく、ポータブルヘッドホンアンプ装置が開発されている。このポータブルヘッドホンアンプ装置では、多様な機器に対応すべく、スマートフォンと接続するためのＵＳＢコネクタ及びヘッドホンと接続するためのアナログ出力端子に加え、アナログ入力端子、デジタルコアキシャル（同軸）入力端子、デジタルコアキシャル（同軸）出力端子、光入力端子を備える場合もあるところ、これら多様な端子をどのように共用させるかが問題となる。
【０００９】
本発明の目的は、複数種類の入力端子、出力端子を共用し、端子の実装面積を縮小して小型化を図ることが可能なオーディオ装置を提供することにある。
【課題を解決するための手段】
【００１０】
本発明のオーディオ装置は、デジタルオーディオ入力端子、デジタルオーディオ出力端子、アナログオーディオ入力端子、アナログオーディオ出力端子のうち、少なくとも３つを共用する入出力端子と、アナログオーディオ出力端子と、前記入出力端子における端子機能を切り替える切替手段と、デジタルオーディオ信号をアナログオーディオ信号に変換する変換手段と、アナログオーディオ信号を増幅して前記アナログオーディオ出力端子に出力する増幅手段と、前記切替手段での切替に応じ、前記入出力端子が前記デジタルオーディオ入力端子として機能する場合に前記入出力端子から入力されたデジタルオーディオ信号を前記変換手段に供給し、前記入出力端子が前記アナログオーディオ入力端子として機能する場合に前記入出力端子から入力されたアナログオーディオ信号を前記増幅手段に供給し、前記入出力端子が前記デジタルオーディオ出力端子として機能する場合にデジタルオーディオ信号を前記入出力端子に供給し、前記入出力端子が前記アナログオーディオ出力端子として機能する場合に前記変換手段を介してアナログオーディオ信号を前記入出力端子に供給する制御手段とを備えることを特徴とする。
【００１１】
本発明の１つの実施形態では、デジタルオーディオ信号を記憶する記憶手段を備え、前記制御手段は、前記記憶手段に記憶された前記デジタルオーディオ信号を前記変換手段に供給する場合に、前記入出力端子を前記デジタルオーディオ出力端子に自動的に切り替える。
【００１２】
本発明の他の実施形態では、前記入出力端子がデジタルオーディオ入力端子として機能する場合は、前記入出力端子はデジタルオーディオ光入力端子とデジタルオーディオ同軸入力端子の少なくともいずれかとして機能し、前記入出力端子がデジタルオーディオ出力端子として機能する場合は、前記入出力端子はデジタルオーディオ光出力端子とデジタルオーディオ同軸出力端子の少なくともいずれかとして機能する。
【００１３】
本発明は、特にポータブルヘッドホンアンプ装置等に好適であるが、これに限定されない。  
【発明の効果】
【００１４】
本発明によれば、複数種類の入力端子、出力端子を共用することで端子の実装面積を縮小し、装置の小型化を図ることができる。
【図面の簡単な説明】
【００１５】
【図１】実施形態の構成ブロック図である。
【図２】実施形態の平面図及び側面図である。
【図３】実施形態のオーディオ信号の流れを示す説明図である。
【図４】実施形態のオーディオ信号の流れを示す説明図である。
【図５】実施形態のオーディオ信号の流れを示す説明図である。
【図６】実施形態のオーディオ信号の流れを示す説明図である。
【図７】実施形態の処理フローチャートである。
【図８】実施形態の機能切替の表図である。
【図９】他の実施形態の構成ブロック図である。
【図１０】他の実施形態のオーディオ信号の流れを示す説明図である。
【図１１】他の実施形態の機能切替の表図である。
【発明を実施するための形態】
【００１６】
以下、図面に基づき本発明の実施形態について、ＳＤプレーヤ内蔵のポータブルヘッドホンアンプ装置を例にとり説明する。ここで、ポータブルヘッドホンアンプ装置は、スマートフォンその他の携帯機器と接続し、携帯機器から入力したデジタルオーディオ信号をＤ／Ａコンバータで変換し、高品質のアンプで増幅してヘッドホン端子から出力する装置である。ＳＤプレーヤは、ＳＤカードに記憶されたデジタルオーディオ信号を再生して出力する装置である。本実施形態の装置は、これら２つの機能をともに実現する装置である。
【００１７】
図１は、本実施形態の装置の構成ブロック図である。ヘッドホンアンプ装置は、ＣＰＵ１０，ＲＯＭ１２，ＲＡＭ１４，ＵＳＢコネクタ１６，ＳＤカード１８，ＤＡＣ（Ｄ／Ａコンバータ）２０，切替部２２，アンプ２４，PHONE（ヘッドホン）端子２６，DIGITAL I/O  LINE IN端子２８，スイッチ３０，及び表示部３２を備える。
【００１８】
ＣＰＵ１０は、ＲＯＭ１２に記憶されたプログラムに従い、ＲＡＭ１４をワーキングメモリとして用いて所定の処理を実行する。
【００１９】
ＵＳＢコネクタ１６は、スマートフォン等の携帯機器やパソコンと接続するためのコネクタである。
【００２０】
ＳＤカード１８は、デジタルオーディオデータを記憶する。
【００２１】
ＣＰＵ１０は、スマートフォン等の携帯機器がＵＳＢコネクタ１６に接続され、デジタルオーディオ信号を受信すると、これをＤＡＣ２０に出力する。また、図示しない操作部からの操作によりＳＤプレーヤ機能が選択されると、ＳＤカード１８に記憶されたデジタルオーディオ信号を読み出し、これをＤＡＣに出力する。
【００２２】
ＤＡＣ２０は、デジタルオーディオ信号を処理してアナログオーディオ信号に変換し、切替部２２に出力する。なお、ＤＡＣ２０は、ＰＣＭ２４ｂｉｔ／１９２ｋＨｚ，ＤＳＤ１２８の所謂ハイレゾ音源をアナログオーディオ信号に変換してもよい。
【００２３】
切替部２２は、複数の切替接点から構成され、ＤＡＣ２０の出力をアンプ２４に出力するか、あるいはDIGITAL I/O LINE IN端子２８から入力されたオーディオ信号をアンプ２４に出力するかを切り替える。切替部２２の切替は、ＣＰＵ１０からの制御信号（図中破線で示す）で制御される。
【００２４】
アンプ２４は、切替部２２から出力されるオーディオ信号を増幅してPHONE（ヘッドホン）端子２６に出力する。アンプ２４は、例えばディスクリート構成のプッシュプル回路によりオーディオ信号を増幅する。なお、ゲインセレクタ等でアンプ２４のゲインをハイ／ローの２段階で切替可能に構成してもよい。
【００２５】
DIGITAL I/O LINE IN端子２８は、DIGITAL INPUT（デジタル入力）とDIGITAL OUTPUT（デジタル出力）とLINE IN（アナログ入力）を共用する端子であり、DIGITAL INPUTはさらに、デジタル光入力とデジタル同軸入力を共用する。すなわち、本実施形態の端子２８は、
デジタルオーディオ光入力
デジタルオーディオ同軸入力
アナログオーディオ入力
デジタルオーディオ同軸出力
の４つの入出力端子を１つの端子に集約したものである。
【００２６】
スイッチ３０は、ユーザ操作可能なスイッチであり、DIGITAL I/O LINE IN端子２８を、DIGITAL I/O端子として機能させるか、LINE IN端子として機能させるかを切り替えるスイッチである。スイッチ３０は、例えばDIGITAL I/O LINE IN端子２８の近傍に設けられたスライドスイッチとして構成される。
【００２７】
スイッチ３０がLINE IN側に切り替えられた場合、ＣＰＵ１０は、スイッチ３０による切替に応じて切替部２２を制御し、DIGITAL I/O LINE IN端子２８から入力されたアナログオーディオ信号をアンプ２４に供給し、アンプ２４で増幅してPHONE端子２６から出力する。また、スイッチ３０がDIGITAL I/O側に切り替えられた場合、ＣＰＵ１０は、表示部３２に選択メニューを表示し、ユーザがデジタル入力とデジタル出力のいずれかを選択できるようにする。デジタル入力とデジタル出力の選択は、メニュー階層から定常設定として設定できるようにしてもよい。ユーザがデジタル入力を選択した場合、ＣＰＵ１０は、この選択に応じてDIGITAL I/O LINE IN端子２８から入力されたデジタル光入力信号あるいはデジタル同軸入力信号を入力し、ＤＡＣ２０に供給する。また、切替部２２を制御して、ＤＡＣ２０の出力をアンプ２４に供給する。なお、デジタル光入力かデジタル同軸入力かは、インピーダンス特性の相違を用いて識別する。ユーザがデジタル出力を選択した場合、ＣＰＵ１０は、この選択に応じてＳＤカード１８に記憶されたデジタルオーディオ信号をDIGITAL I/O LINE IN端子２８に出力する。
【００２８】
DIGITAL I/O LINE IN端子２８は、デジタル入力端子及びアナログ入力端子の機能を有しているため、デジタル出力端子を有する他のオーディオ機器、及びデジタル出力端子を有しない他のオーディオ機器と接続して、高品質なオーディオ信号をPHONE端子２６から出力できる。
【００２９】
図２は、本実施形態のポータブルヘッドホンアンプ装置の平面図及び側面図である。
【００３０】
図２（Ａ）は平面図であり、所定位置に操作部５０及び表示部３２が配置される。ユーザは、操作部５０を操作することで、動作モードの選択・決定や再生すべきオーディオデータ（楽曲データ）の選択・決定、DIGITAL I/O LINE IN端子２８のデジタル入力とデジタル出力の選択を行う。表示部３２には、各種操作情報、再生情報が表示される他、DIGITAL I/O LINE IN端子２８のデジタル入力とデジタル出力の選択を行うための選択メニューが表示される。また、装置の一側面には、PHONE端子２６、DIGITAL I/O LINE IN端子２８、及びボリュームつまみ４０（電源スイッチ兼用）が配置される。
【００３１】
図２（Ｂ）は側面図であり、PHONE端子２６，DIGITAL I/O LINE IN端子２８，及びボリュームつまみ４０が配置される。また、DIGITAL I/O LINE IN端子２８の近傍にはスライドスイッチとしてのスイッチ３０が配置され、ボリュームつまみ４０の近傍にはゲインセレクタ４２が配置される。
【００３２】
スイッチ３０の左右端部には、「DIGITAL」及び「LINE」が表示され、ユーザはこのスイッチ３０を左右いずれかにスライドさせることで、デジタル入出力とアナログ入力を切り替えることができる。デジタル入力とデジタル出力の切替は、選択メニューによりソフトウェア的に切り替えることは既述した通りである。
【００３３】
ボリュームつまみ４０は、PHONE端子２６から出力されるオーディオ信号のレベル調整を行うものであり、電源スイッチを兼用している。本実施形態では、ボリュームつまみ４０が左端に位置するときには電源スイッチがオフであり、右に回すと電源がオンとなり、ボリュームつまみ４０の回転量（回転角度）に応じてPHONE端子２６から出力されるオーディオ信号のレベルが増減調整される。また、ゲインセレクタ４２は、アンプ２４のゲインをハイ／ローの２段階で切り替えるセレクタである。
【００３４】
図２（Ｂ）の側面図に示すように、本実施形態のポータブルヘッドホンアンプ装置は、本来であれば
デジタルオーディオ光入力端子
デジタルオーディオ同軸入力端子
アナログオーディオ入力端子
デジタルオーディオ同軸出力端子
の４つの入出力端子を設けるべきところ、単一のDIGITAL I/O LINE IN端子２８でこれらを実現し、これらの機能を適宜切り替えることで、端子の実装面積を低減して装置を小型化できる。
【００３５】
図３〜図６は、DIGITAL I/O LINE IN端子２８の機能切替に伴うオーディオ信号の流れを示す説明図である。
【００３６】
図３は、装置がヘッドホンアンプとして動作する場合の流れであり、スマートフォンやパソコンと接続する場合である。DIGITAL I/O LINE IN端子２８は任意の状態にある。ＵＳＢコネクタ１６にはスマートフォン等が接続され、ＵＳＢコネクタ１６を介してデジタルオーディオ信号が供給される。オーディオ信号の流れは、
ＵＳＢコネクタ１６→ＣＰＵ１０→ＤＡＣ２０→切替部２２→アンプ２４→PHONE端子２６
である。
【００３７】
図４は、装置がヘッドホンアンプとして動作する場合の流れであり、デジタル出力端子を有せずアナログ出力端子を有するオーディオ機器と接続する場合である。DIGITAL I/O LINE IN端子２８は、スイッチ３０によりアナログ入力に切り替えられる。オーディオ信号の流れは、
DIGITAL I/O LINE IN端子２８→切替部２２→アンプ２４→PHONE端子２６
である。
【００３８】
図５は、装置がヘッドホンアンプとして動作する場合の流れであり、デジタル出力端子を有するオーディオ機器と接続する場合である。デジタル出力端子は、光出力と同軸出力のいずれであってもよい。DIGITAL I/O LINE IN端子２８は、スイッチ３０及び選択メニューによりデジタル入力に切り替えられる。オーディオ信号の流れは、
DIGITAL I/O LINE IN端子２８→ＣＰＵ１０→ＤＡＣ２０→切替部２２→アンプ２４→PHONE端子２６
である。
【００３９】
図６は、装置がＳＤプレーヤとして動作する場合の流れである。DIGITAL I/O LINE IN端子２８は、スイッチ３０及び選択メニューによりデジタル出力に切り替えられる。ＳＤカード１８に記憶されたオーディオデータが読み出されて供給される。オーディオ信号の流れは、
ＳＤカード１８→ＣＰＵ１０→ＤＡＣ２０→切替部２２→アンプ２４→PHONE端子２６
であり、かつ、
ＳＤカード１８→ＣＰＵ１０→DIGITAL I/O LINE IN端子２８
である。なお、ＣＰＵ１０は、ＳＤプレーヤとして動作する場合であって、DIGITAL I/O LINE IN端子２８がデジタル出力に設定されていない場合には、オーディオ信号をPHONE端子２６のみから出力し、DIGITAL I/O LINE IN端子２８から出力しなくてもよい。
【００４０】
図７は、本実施形態の処理フローチャートである。
【００４１】
ＣＰＵ１０は、スイッチ３０がDIGITAL とLINEのいずれに設定されているかを判定する（Ｓ１０１）。スイッチ３０が「LINE」に設定されている場合、これはアナログ入力を意味するので、ＣＰＵ１０は、DIGITAL I/O LINE IN端子２８をアナログ入力に設定する（Ｓ１０７）。すなわち、ＣＰＵ１０は、DIGITAL I/O LINE IN端子２８から入力されたアナログオーディオ信号を切替部２２に供給し、切替部２２の接点を制御してこのアナログオーディオ信号をアンプ２４に供給する。アンプ２４は、アナログオーディオ信号を増幅してPHONE端子２６に出力する。ユーザは、ヘッドホンをPHONE端子に接続することで、高品質リスニングが可能となる。
【００４２】
他方、スイッチ３０が「DIGITAL」に設定されている場合、これはデジタル入出力を意味するので、ＣＰＵ１０は、表示部３２に選択メニューを表示して（Ｓ１０２）、ユーザにデジタル入力とデジタル出力のいずれかを選択させる（Ｓ１０３）。
【００４３】
ユーザが出力を選択した場合、ＣＰＵ１０は、DIGITAL I/O LINE IN端子２８をデジタル出力に設定する（Ｓ１０８）。すなわち、ＣＰＵ１０は、ＳＤカード１８に記憶されたデジタルオーディオデータを読み出してDIGITAL I/O LINE IN端子２８からの出力を可能とする。ＳＤプレーヤとしてのデジタル出力機能である。ＳＤプレーヤ内蔵のポータブルヘッドホンアンプ装置は、ＳＤプレーヤとしてのデジタル出力と、ヘッドホンアンプとしてのデジタルあるいはアナログ入力は同時に機能することはないから、このように、DIGITAL I/O LINE IN端子２８を入出力共用としても問題は生じない。
【００４４】
ユーザが入力を選択した場合、次に、デジタル光入力かデジタル同軸入力かを判定する（Ｓ１０４）。この判定は、インピーダンス特性の相違の他、光信号を検知したか否かにより実行してもよい。デジタル光入力の場合、ＣＰＵ１０は、DIGITAL I/O LINE IN端子２８をデジタル光入力に設定する（Ｓ１０５）。デジタル同軸入力の場合、ＣＰＵ１０は、DIGITAL I/O LINE IN端子２８をデジタル同軸入力に設定する（Ｓ１０６）。これらの場合、DIGITAL I/O LINE IN端子２８から入力されたデジタルオーディオ信号はＣＰＵ１０に供給され、ＣＰＵ１０は、これらの信号をＤＡＣ２０，切替部２２，アンプ２４を介してPHONE端子２６から出力する。
【００４５】
図８は、本実施形態におけるDIGITAL I/O LINE IN端子２８の機能切替を表としてまとめたものである。DIGITAL I/O LINE IN端子２８の機能は、端子機能を切り替える切替手段としてのメカニカルなスイッチ３０及びソフトウェアの選択メニューにより切り替えられるため、これらをそれぞれハードスイッチ（スイッチ３０）及びソフトスイッチ（選択メニュー）としている。ハードスイッチによりデジタル入出力（DIGITAL I/O）とアナログ入力(Analog Line In)が切り替えられ、ソフトスイッチにより入力（Input）と出力（Output）が切り替えられる。従って、ハードスイッチによりデジタル入出力に切り替えられ、ソフトスイッチにより入力に切り替えられた場合、DIGITAL I/O LINE IN端子２８はデジタル入力（デジタル光入力及びデジタル同軸入力）となる。ハードスイッチによりデジタル入出力に切り替えられ、ソフトスイッチにより出力に切り替えられた場合、DIGITAL I/O LINE IN端子２８はデジタル出力（デジタル同軸出力）となる。ハードスイッチによりアナログ入力に切り替えられた場合、ソフトスイッチによらず（選択メニューは表示されない）、DIGITAL I/O LINE IN端子２８はアナログ入力となる。
【００４６】
なお、本実施形態では、入出力端子として、デジタルオーディオ光入力、デジタルオーディオ同軸入力、デジタルオーディオ同軸出力、アナログオーディオ入力の４つの端子を共用するDIGITAL I/O LINE IN端子２８を設けているが、さらにアナログオーディオ出力を追加し、５つの端子を共用するDIGITAL I/O LINE I/O端子としてもよい。
【００４７】
図９は、DIGITAL I/O LINE IN端子２８をDIGITAL I/O LINE I/O端子６０に置き換えた場合の構成ブロック図である。基本構成は図１に示す実施形態と同じであるため図１に示す実施形態との相違点のみ説明する。
【００４８】
DIGITAL I/O LINE I/O端子６０は、DIGITAL INPUT（デジタル入力）とDIGITAL OUTPUT（デジタル出力）とLINE IN（アナログ入力）とLINE OUT（アナログ出力）を共用する端子であり、DIGITAL INPUTはさらにデジタル光入力とデジタル同軸入力を共用する。すなわち、本実施形態の端子６０は、
デジタルオーディオ光入力
デジタルオーディオ同軸入力
アナログオーディオ入力
デジタルオーディオ同軸出力
アナログオーディオ出力
の５つの入出力端子を１つの端子に集約したものである。
【００４９】
スイッチ３０は、DIGITAL I/O LINE I/O端子６０をDIGITAL I/O端子として機能させるか、LINE I/O端子として機能させるかを切り替えるスイッチである。
【００５０】
スイッチ３０が、LINE I/O側に切り替えられた場合、ＣＰＵ１０は、表示部３２に選択メニューを表示し、ユーザがアナログ入力とアナログ出力のいずれかを選択できるようにする。アナログ入力とアナログ出力の選択は、メニュー階層から定常設定として設定できるようにしてもよい。ユーザがアナログ入力を選択した場合、ＣＰＵ１０は、切替部２２を制御し、DIGITAL I/O LINE I/O端子６０から入力されたアナログオーディオ信号をアンプ２４に供給し、アンプ２４で増幅してPHONE端子から出力する。また、ユーザがアナログ出力を選択した場合、ＣＰＵ１０は、切替部２２を制御し、ＵＳＢコネクタ１６からのデジタルオーディオ信号あるいはＳＤカードから読み出されるデジタルオーディオ信号をＤＡＣ２０、切替部２２を介してアナログオーディオ信号をDIGITAL I/O LINE I/O端子６０から出力すると同時に、ＤＡＣ２０、切替部２２、アンプ２４を介してアナログオーディオ信号をPHONE端子から出力する。切替部２２とDIGITAL I/O LINE I/O端子６０との間に出力レベルを調整するアンプを設けてもよい。
【００５１】
図１０は、DIGITAL I/O LINE I/O端子６０がアナログ出力端子として機能する場合の流れである。スイッチ３０がLINE I/O側に切り替えられ、切替部２２の制御によりアナログ出力に設定されることにより、ＵＳＢコネクタ１６からのデジタルオーディオ信号あるいはＳＤカードから読み出されるデジタルオーディオ信号が供給される。オーディオ信号の流れは、
ＵＳＢコネクタ１６またはＳＤカード１８→ＣＰＵ１０→ＤＡＣ２０→切替部２２→アンプ２４→PHONE端子２６
であり、かつ、
ＵＳＢコネクタ１６またはＳＤカード１８→ＣＰＵ１０→ＤＡＣ２０→切替部２２→DIGITAL I/O LINE I/O端子６０
である。
【００５２】
図１１は、他の実施形態におけるDIGITAL I/O LINE I/O端子６０の機能切替を表としてまとめたものである。DIGITAL I/O LINE I/O端子６０の機能は、端子機能を切り替える切替手段としてのメカニカルなスイッチ３０及びソフトウェアの選択メニューにより切り替えられるため、これらをそれぞれハードスイッチ（スイッチ３０）及びソフトスイッチ（選択メニュー）としている。ハードスイッチによりデジタル入出力（DIGITAL I/O）とアナログ入出力（LINE I/O）が切り替えられ、ソフトスイッチにより入力（Input）と出力（Output）が切り替えられる。従って、ハードスイッチによりデジタル入出力に切り替えられ、ソフトスイッチにより入力に切り替えられた場合、DIGITAL I/O LINE I/O端子６０はデジタル入力（デジタル光入力及びデジタル同軸入力）となる。ハードスイッチによりデジタル入出力に切り替えられ、ソフトスイッチにより出力に切り替えられた場合、DIGITAL I/O LINE I/O端子６０はデジタル出力（デジタル同軸出力）となる。ハードスイッチによりアナログ入出力に切り替えられ、ソフトスイッチにより入力に切り替えられた場合、DIGITAL I/O LINE I/O端子６０はアナログ入力となる。ハードスイッチによりアナログ入出力に切り替えられ、ソフトスイッチにより出力に切り替えられた場合、DIGITAL I/O LINE I/O端子６０はアナログ出力となる。
【００５３】
以上、本発明の実施形態について説明したが、本発明はこれに限定されず種々の変形が可能である。
【００５４】
例えば、初期設定（電源ＯＮ時のデフォルト状態）では、ヘッドホンアンプとして動作するように設定し、DIGITAL I/O LINE IN端子２８を入力端子（デジタル入力端子及びアナログ入力端子）に設定しておく。そして、ユーザが操作部５０を操作してＳＤプレーヤとしての動作を選択した場合に、ＳＤプレーヤの再生動作に連動させてDIGITAL I/O LINE IN端子２８を入力端子から出力端子（デジタル出力端子）に自動的に切り替えることもできる。既述したように、再生モード中に外部からオーディオ信号を入力することはあり得ないからである。なお、ＳＤプレーヤとしての動作を選択した場合、図６に示すように、ＣＰＵ１０は、デジタルオーディオ信号をデジタル出力端子から出力すると同時に、ＤＡＣ２０，切替部２２，アンプ２４を介してアナログオーディオ信号としてPHONE端子２６から出力する。この場合、２つの出力端子からオーディオ信号が出力されるため、２人でリスニングを共有することが可能である。ＳＤプレーヤとしての動作が終了し、再びヘッドホンアンプとして動作させる場合、ＣＰＵ１０は、再びDIGITAL I/O LINE IN端子２８を入力端子に設定すればよい。本変形例は、図９及び図１０に示す実施形態にも同様に適用可能である。図９及び図１０に示す実施形態の場合は、DIGITAL I/O LINE I/O端子６０からアナログ信号が出力されるため、ダイレクトにヘッドホンを接続することが可能である。
【００５５】
また、本実施形態では、切替手段をハードスイッチとソフトスイッチで構成し、デジタル入出力とアナログ入力をハードスイッチにより切り替え、デジタル入力とデジタル出力をソフトスイッチにより切り替えているが、ＣＰＵ１０は、DIGITAL I/O LINE IN端子２８へのプラグ接続を検出して表示部３２にデジタル入出力かアナログ入力かを選択する選択メニューを表示することで、ハードスイッチをソフトスイッチに置き換えてもよい。この場合、DIGITAL I/O LINE IN端子２８の端子機能切替は全てソフトスイッチで実行されることになる。図９及び図１０に示す実施形態では、ＣＰＵ１０は、DIGITAL I/O LINE I/O端子６０へのプラグ接続を検出して表示部３２にデジタル入出力かアナログ入出力かを選択する選択メニューを表示することで、同様にハードスイッチをソフトスイッチに置き換えることができる。
【００５６】
また、本実施形態では、デジタル光信号に関して、ヘッドホンアンプ装置としての機能上、デジタル光入力端子をDIGITAL I/O LINE IN端子２８またはDIGITAL I/O LINE I/O端子６０で実現しているが、デジタル光入力端子に代えてデジタル光出力端子をDIGITAL I/O LINE IN端子２８またはDIGITAL I/O LINE I/O端子６０で実現してもよい。すなわち、デジタル入力としてデジタル光信号及びデジタル同軸信号に代え、デジタル入力はデジタル同軸信号とし、デジタル出力としてデジタル光信号及びデジタル同軸信号としてもよい。本実施形態において、可能な共用の組み合わせを例示すると以下の通りである。
（１）デジタルオーディオ光入力端子とデジタルオーディオ同軸入力端子とデジタルオーディオ同軸出力端子とアナログオーディオ入力端子
（２）デジタルオーディオ光出力端子とデジタルオーディオ同軸入力端子とデジタルオーディオ同軸出力端子とアナログオーディオ入力端子
（３）デジタルオーディオ光入力端子とデジタルオーディオ同軸出力端子とアナログオーディオ入力端子
（４）デジタルオーディオ同軸入力端子とデジタルオーディオ光出力端子とアナログオーディオ入力端子
（５）デジタルオーディオ光入力端子とデジタルオーディオ同軸出力端子とアナログオーディオ入力端子とアナログ出力端子
（６）デジタルオーディオ同軸入力端子とデジタルオーディオ光出力端子とアナログオーディオ入力端子とアナログ出力端子
（７）デジタルオーディオ光入力端子とデジタルオーディオ同軸入力端子とデジタルオーディオ同軸出力端子とアナログオーディオ入力端子とアナログ出力端子
【００５７】
要するに、本実施形態において、デジタルオーディオ入力端子とデジタルオーディオ出力端子とアナログオーディオ入力端子とアナログオーディオ出力端子のうち、少なくとも３つを共用するとともに、デジタルオーディオ入力端子をデジタルオーディオ光入力端子とデジタルオーディオ同軸入力端子の少なくともいずれかとし、デジタルオーディオ出力端子をデジタルオーディオ光出力端子とデジタルオーディオ同軸出力端子の少なくともいずれかとすることができる。  
【符号の説明】
【００５８】
１０  ＣＰＵ、１２  ＲＯＭ、１４  ＲＡＭ、１６  ＵＳＢコネクタ、１８  ＳＤカード、２０  ＤＡＣ、２２  切替部、２４  アンプ、２６  PHONE端子、２８  DIGITAL I/O LINE IN端子、３０  スイッチ、３２  表示部、６０  DIGITAL I/O LINE I/O端子。
【図１】
0006341047.tif 000002
【図２】
0006341047.tif 000003
【図３】
0006341047.tif 000004
【図４】
0006341047.tif 000005
【図５】
0006341047.tif 000006
【図６】
0006341047.tif 000007
【図７】
0006341047.tif 000008
【図８】
0006341047.tif 000009
【図９】
0006341047.tif 000010
【図１０】
0006341047.tif 000011
【図１１】
0006341047.tif 000012